【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
ドラムに巻き付けられて装着されドラムを回転させることで主走査方向へ移動されるプレートに対し画像を記録する複数のレーザユニットを主走査方向と直交する副走査方向に並設した光記録ヘッドであって、
前記レーザユニットのレーザ光を受光して、受光量が所定の値になるように前記レーザユニットへ印加する印加電流値を調整する制御手段と、前記印加電流値が第１の値を超えると、前記レーザユニットの交換時期であることを示す信号を出力すると共に、前記印加電流値が前記第１の値より高い第２の値を超えると前記レーザユニットの使用不可を示す信号を出力する通知信号出力手段を備えたことを特徴とする光記録ヘッド。
【請求項２】
前記制御手段は、前記レーザ光をモニタ光として捉えて、このモニタ光の光量を光電変換したＰＤ値として検出し、前記検出したＰＤ値を基準ＰＤ値と比較し、この比較結果により前記レーザユニットへ印加する前記印加電流値を算出することを特徴とする請求項１に記載の光記録ヘッド。
【請求項３】
ドラムに巻き付けられて装着されドラムを回転させることで主走査方向へ移動されるプレートに対し画像を記録する複数のレーザユニットを主走査方向と直交する副走査方向に並設した光記録ヘッドを備え、前記プレートを前記主走査方向へ移動させると共に前記光記録ヘッドを前記副走査方向へ移動させることで画像を記録する画像記録装置であって、
前記光記録ヘッドは、前記レーザユニットのレーザ光を受光して、受光量が所定の値になるように前記レーザユニットへ印加する印加電流値を調整する制御手段と、前記印加電流値が第１の値を超えると、前記レーザユニットの交換時期であることを示す信号を出力すると共に、前記印加電流値が前記第１の値より高い第２の値を超えると前記レーザユニットの使用不可を示す信号を出力する通知信号出力手段とを有し、
前記光記録ヘッドから前記レーザユニットの使用不可を示す信号が出力されたとき該レーザユニットの動作を中止し、該光記録ヘッドを副走査方向へ移動することにより、使用可のレーザユニットを前記使用不可のレーザユニットの位置へ移動させて前記画像を記録することを特徴とする画像記録装置。
【請求項４】
前記制御手段は、前記レーザ光をモニタ光として捉えて、このモニタ光の光量を光電変換したＰＤ値として検出し、前記検出したＰＤ値を基準ＰＤ値と比較し、この比較結果により前記レーザユニットへ印加する前記印加電流値を算出することを特徴とする請求項３に記載の画像記録装置。
【請求項５】
前記制御手段は、画像データを記憶するメモリと、このメモリから前記画像データを読み出して、前記レーザユニットの記録レーザチャンネルが受け持つ記録ライン毎に前記記録レーザチャンネルを選択する信号セレクタとを有し、１回目の記録において、使用可のレーザユニットの記録レーザチャンネルが受け持つ記録ラインの画像データの記録を行い、２回目の記録において、使用不可のレーザユニットの位置へ移動させた使用可のレーザユニットの記録レーザチャンネルにより、前記使用不可のレーザユニットの記録レーザチャンネルが受け持つ記録ラインの画像データの記録を行うようにしたことを特徴とする請求項３に記載の画像記録装置。
【手続補正２】
【補正対象書類名】明細書
【補正対象項目名】００１２
【補正方法】変更
【補正の内容】
【００１２】
本発明の光記録ヘッドは、ドラムに巻き付けられて装着されドラムを回転させることで主走査方向へ移動されるプレートに対し画像を記録する複数のレーザユニットを主走査方向と直交する副走査方向に並設した光記録ヘッドであって、前記レーザユニットのレーザ光を受光して、受光量が所定の値になるように前記レーザユニットへ印加する印加電流値を調整する制御手段と、前記印加電流値が第１の値を超えると、前記レーザユニットの交換時期であることを示す信号を出力すると共に、前記印加電流値が前記第１の値より高い第２の値を超えると前記レーザユニットの使用不可を示す信号を出力する通知信号出力手段を備えたものである。
【手続補正３】
【補正対象書類名】明細書
【補正対象項目名】００１３
【補正方法】変更
【補正の内容】
【００１３】
また、本発明の画像記録装置は、ドラムに巻き付けられて装着されドラムを回転させることで主走査方向へ移動されるプレートに対し画像を記録する複数のレーザユニットを主走査方向と直交する副走査方向に並設した光記録ヘッドを備え、前記プレートを前記主走査方向へ移動させると共に前記光記録ヘッドを前記副走査方向へ移動させることで画像を記録する画像記録装置であって、前記光記録ヘッドは、前記レーザユニットのレーザ光を受光して、受光量が所定の値になるように前記レーザユニットへ印加する印加電流値を調整する制御手段と、前記印加電流値が第１の値を超えると、前記レーザユニットの交換時期であることを示す信号を出力すると共に、前記印加電流値が前記第１の値より高い第２の値を超えると前記レーザユニットの使用不可を示す信号を出力する通知信号出力手段とを有し、前記光記録ヘッドから前記レーザユニットの使用不可を示す信号が出力されたとき該レーザユニットの動作を中止し、該光記録ヘッドを副走査方向へ移動することにより、使用可のレーザユニットを前記使用不可のレーザユニットの位置へ移動させて前記画像を記録するものである。
【手続補正４】
【補正対象書類名】明細書
【補正対象項目名】００１４
【補正方法】変更
【補正の内容】
【００１４】
本発明の光記録ヘッドによれば、レーザユニットの交換時期を事前に予知しておくことが可能となる。これにより、サービスマンが出張した際に、しかるべき的確な処置が可能になる。また、レーザユニットが使用できないことを示す使用中止通知信号を出力することで、この使用中止通知信号により通常運転を中止して、記録画像の部分的欠除が発生するような事態を未然に防止することができる。
【手続補正５】
【補正対象書類名】明細書
【補正対象項目名】００１６
【補正方法】変更
【補正の内容】
【００１６】
請求項１に記載の本発明に係る光記録ヘッドは、ドラムに巻き付けられて装着されドラムを回転させることで主走査方向へ移動されるプレートに対し画像を記録する複数のレーザユニットを主走査方向と直交する副走査方向に並設した光記録ヘッドであって、レーザユニットのレーザ光を受光して、受光量が所定の値になるようにレーザユニットへ印加する印加電流値を調整する制御手段と、印加電流値が第１の値を超えると、レーザユニットの交換時期であることを示す信号を出力すると共に、印加電流値が第１の値より高い第２の値を超えるとレーザユニットの使用不可を示す信号を出力する通知信号出力手段を備えたものである。
【手続補正６】
【補正対象書類名】明細書
【補正対象項目名】００１７
【補正方法】変更
【補正の内容】
【００１７】
前記構成により、レーザユニット交換の必要だけでなく、レーザ劣化中であることもわかることになる。この結果、事前のレーザユニット交換も可能となる。これにより、サービスマンが出張して、しかるべき的確な処置が可能になる。また、使用中止通知信号を出力することで、この使用中止通知信号により通常運転を中止して、記録画像の部分的欠除が発生するような事態を未然に防止すると共に、交換時期にきたレーザユニットを他のレーザユニットに代用させて記録させるようなリカバリ運転処理を行うことができる。
【手続補正７】
【補正対象書類名】明細書
【補正対象項目名】００１８
【補正方法】変更
【補正の内容】
【００１８】
また、請求項２に記載の本発明に係る光記録ヘッドは、請求項１に記載の本発明に係る光記録ヘッドにおいて、制御手段は、レーザ光をモニタ光として捉えて、このモニタ光の光量を光電変換したＰＤ値として検出し、検出したＰＤ値を基準ＰＤ値と比較し、この比較結果によりレーザユニットへ印加する印加電流値を算出するものである。
【手続補正８】
【補正対象書類名】明細書
【補正対象項目名】００１９
【補正方法】変更
【補正の内容】
【００１９】
前記構成により、モニタ光の光量と基準ＰＤ値とから算出された印加電流値が第１の値を超えると予防交換通知信号を出力する。このために、この予防交換通知信号によりレーザユニット交換の必要だけでなく、レーザ劣化中であることもわかることになる。この結果、事前のレーザユニット交換も可能となる。これにより、サービスマンが出張して、しかるべき的確な処置が可能になる。
【手続補正９】
【補正対象書類名】明細書
【補正対象項目名】００２０
【補正方法】変更
【補正の内容】
【００２０】
また、印加電流値が第２の値を超えると使用中止通知信号を出力する。この使用中止通知信号により通常運転は中止するか、リカバリ運転処理を行うことができる。
【手続補正１０】
【補正対象書類名】明細書
【補正対象項目名】００２１
【補正方法】変更
【補正の内容】
【００２１】
また、請求項３に記載の本発明に係る画像記録装置にあっては、ドラムに巻き付けられて装着されドラムを回転させることで主走査方向へ移動されるプレートに対し画像を記録する複数のレーザユニットを主走査方向と直交する副走査方向に並設した光記録ヘッドを備え、プレートを主走査方向へ移動させると共に光記録ヘッドを副走査方向へ移動させることで画像を記録する画像記録装置であって、光記録ヘッドは、レーザユニットのレーザ光を受光して、受光量が所定の値になるようにレーザユニットへ印加する印加電流値を調整する制御手段と、印加電流値が第１の値を超えると、レーザユニットの交換時期であることを示す信号を出力すると共に、印加電流値が前記第１の値より高い第２の値を超えるとレーザユニットの使用不可を示す信号を出力する通知信号出力手段とを有し、光記録ヘッドからレーザユニットの使用不可を示す信号が出力されたとき該レーザユニットの動作を中止し、該光記録ヘッドを副走査方向へ移動することにより、使用可のレーザユニットを使用不可のレーザユニットの位置へ移動させて画像を記録するものである。
【手続補正１１】
【補正対象書類名】明細書
【補正対象項目名】００２２
【補正方法】変更
【補正の内容】
【００２２】
前記構成により、レーザユニット交換の必要だけでなく、レーザ劣化中であることもわかることになる。この結果、事前のレーザユニット交換も可能となる。これにより、サービスマンが出張して、しかるべき的確な処置が可能になる。また、使用中止通知信号を出力することで、この使用中止通知信号により通常運転を中止して、記録画像の部分的欠除が発生するような事態を未然に防止すると共に、交換時期にきたレーザユニットを他のレーザユニットに代用させて記録させるようなリカバリ運転処理を行うことができる。
【手続補正１２】
【補正対象書類名】明細書
【補正対象項目名】００２４
【補正方法】変更
【補正の内容】
【００２４】
また、請求項４に記載の本発明に係る画像記録装置は、請求項３に記載の本発明に係る画像記録装置において、制御手段は、レーザ光をモニタ光として捉えて、このモニタ光の光量を光電変換したＰＤ値として検出し、検出したＰＤ値を基準ＰＤ値と比較し、この比較結果によりレーザユニットへ印加する印加電流値を算出するものである。
【手続補正１３】
【補正対象書類名】明細書
【補正対象項目名】００２５
【補正方法】変更
【補正の内容】
【００２５】
前記構成により、モニタ光の光量と基準ＰＤ値とから算出された印加電流値が第１の値を超えると予防交換通知信号を出力する。このために、この予防交換通知信号によりレーザユニット交換の必要だけでなく、レーザ劣化中であることもわかることになる。この結果、事前のレーザユニット交換も可能となる。これにより、サービスマンが出張して、しかるべき的確な処置が可能になる。
【手続補正１４】
【補正対象書類名】明細書
【補正対象項目名】００２６
【補正方法】変更
【補正の内容】
【００２６】
また、印加電流値が第２の値を超えると使用中止通知信号を出力することで、この使用中止通知信号により通常運転を中止して、記録画像の部分的欠除が発生するような事態を未然に防止すると共に、交換時期にきたレーザユニットを他のレーザユニットに代用させて記録させるようなリカバリ運転処理を行うことができる。
【手続補正１５】
【補正対象書類名】明細書
【補正対象項目名】００２７
【補正方法】変更
【補正の内容】
【００２７】
また、請求項５に記載の本発明に係る画像記録装置は、請求項３に記載の本発明に係る画像記録装置において、制御手段は、画像データを記憶するメモリと、このメモリから画像データを読み出して、レーザユニットの記録レーザチャンネルが受け持つ記録ライン毎に記録レーザチャンネルを選択する信号セレクタとを有し、１回目の記録において、使用可のレーザユニットの記録レーザチャンネルが受け持つ記録ラインの画像データの記録を行い、２回目の記録において、使用不可のレーザユニットの位置へ移動させた使用可のレーザユニットの記録レーザチャンネルにより、使用不可のレーザユニットの記録レーザチャンネルが受け持つ記録ラインの画像データの記録を行うようにしたものである。